(57)【要約】【課題】撮影時の条件設定等に応じて、インカメラで撮影した画像データを記録するか否かを自動的に判定できる技術を実現する。【解決手段】撮像装置は、撮影者から見える被写体を撮影する第１の撮像手段と、撮影者側の被写体を撮影する第２の撮像手段と、前記第１の撮像手段で撮影を行うとともに前記第２の撮像手段で撮影を行う撮影モードにおいて、撮影時の設定が所定の条件を満たす場合には、前記第１の撮像手段で撮像された画像データと前記第２の撮像手段で撮像された画像データとを関連付けて記録する第１の記録処理を行い、前記所定の条件を満たさない場合には、前記第１の撮像手段で撮像された画像データと前記第２の撮像手段で撮像された画像データとを関連付けずに記録する第２の記録処理を行う制御手段と、を有する。【選択図】図４
2014093744.tif 000002
【特許請求の範囲】
【請求項１】
撮影者から見える被写体を撮影する第１の撮像手段と、
撮影者側の被写体を撮影する第２の撮像手段と、
前記第１の撮像手段で撮影を行うとともに前記第２の撮像手段で撮影を行う撮影モードにおいて、撮影時の設定が所定の条件を満たす場合には、前記第１の撮像手段で撮像された画像データと前記第２の撮像手段で撮像された画像データとを関連付けて記録する第１の記録処理を行い、前記所定の条件を満たさない場合には、前記第１の撮像手段で撮像された画像データと前記第２の撮像手段で撮像された画像データとを関連付けしないで記録する第２の記録処理を行う制御手段と、を有することを特徴とする撮像装置。
【請求項２】
撮影者から見える被写体を撮影する第１の撮像手段と、
撮影者側の被写体を撮影する第２の撮像手段と、
前記第１の撮像手段で撮影を行うとともに前記第２の撮像手段で撮影を行う撮影モードにおいて、撮影時の設定が所定の条件を満たす場合には、前記第１の撮像手段で撮像された画像データと前記第２の撮像手段で撮像された画像データとを関連付けて記録する第１の記録処理を行い、前記所定の条件を満たさない場合には、前記第１の撮像手段で撮像された画像データを記録するとともに前記第２の撮像手段による撮像を行わないように制御する制御手段と、を有することを特徴とする撮像装置。
【請求項３】
装置の動作モードを設定する設定手段をさらに有し、
前記動作モードは、静止画記録モード、動画記録モード、再生モードのいずれかを含むことを特徴とする請求項１または２に記載の撮像装置。
【請求項４】
前記所定の条件は、撮像を開始する前に判定されることを特徴とする請求項１ないし３のいずれか１項に記載の撮像装置。
【請求項５】
前記所定の条件は、セルフタイマーの設定の有無であり、
前記セルフタイマーの設定時間が所定時間より短い場合、前記制御手段は、前記第１の記録処理を行うことを特徴とする請求項１ないし４のいずれか１項に記載の撮像装置。
【請求項６】
前記所定の条件は、撮影シーンの種類であり、
前記撮影シーンが夜景シーン以外で、かつ三脚を使用した撮影でない場合、前記制御手段は、前記第１の記録処理を行うことを特徴とする請求項１ないし４のいずれか１項に記載の撮像装置。
【請求項７】
前記所定の条件は、ファインダー撮影の有無であり、
前記ファインダー撮影の場合、かつファインダーへの接眼が検知されている場合、前記制御手段は、前記第１の記録処理を行うことを特徴とする請求項１ないし５のいずれか１項に記載の撮像装置。
【請求項８】
前記所定の条件は、リモコン撮影の有無であり、
前記リモコン撮影の場合、前記制御手段は、前記第１の記録処理を行うことを特徴とする請求項１ないし７のいずれか１項に記載の撮像装置。
【請求項９】
撮影指示を受け付ける操作手段をさらに有し、
前記制御手段は、前記撮影指示を受け付けたことに応じて、前記第１の撮像手段による撮影と前記第２の撮像手段による撮影とを行うように制御することを特徴とする請求項１ないし８のいずれか１項に記載の撮像装置。
【請求項１０】
撮影者から見える被写体を撮影する第１の撮像手段と、撮影者側の被写体を撮影する第２の撮像手段と、を備える撮像装置の制御方法であって、
前記第１の撮像手段で撮影を行うとともに前記第２の撮像手段で撮影を行う撮影モードにおいて、撮影時の設定が所定の条件を満たす場合には、前記第１の撮像手段で撮像された画像データと前記第２の撮像手段で撮像された画像データとを関連付けて記録する第１の記録処理を行い、前記所定の条件を満たさない場合には、前記第１の撮像手段で撮像された画像データと前記第２の撮像手段で撮像された画像データとを関連付けしないで記録する第２の記録処理を行う制御工程を有することを特徴とする制御方法。
【請求項１１】
撮影者から見える被写体を撮影する第１の撮像手段と、撮影者側の被写体を撮影する第２の撮像手段と、を有する撮像装置の制御方法であって、
前記第１の撮像手段で撮影を行うとともに前記第２の撮像手段で撮影を行う撮影モードにおいて、撮影時の設定が所定の条件を満たす場合には、前記第１の撮像手段で撮像された画像データと前記第２の撮像手段で撮像された画像データとを関連付けて記録する第１の記録処理を行い、前記所定の条件を満たさない場合には、前記第１の撮像手段で撮像された画像データを記録するとともに前記第２の撮像手段による撮像を行わないように制御する制御工程を有することを特徴とする制御方法。
【請求項１２】
コンピュータを、請求項１ないし９のいずれか１項に記載された撮像装置の各手段として機能させるプログラム。
【請求項１３】
コンピュータを、請求項１ないし９のいずれか１項に記載された撮像装置の各手段として機能させるプログラムを格納した記憶媒体。
【発明の詳細な説明】
【技術分野】
【０００１】
本発明は、インカメラを搭載する撮像装置に関する。
【背景技術】
【０００２】
最近の携帯電話やスマートフォンには、撮影者から見える被写体を撮影する通常のカメラ（アウトカメラ）とともに、撮影者自身や撮影者側の被写体を撮影するカメラ（インカメラ）が搭載されている。このようなアウトカメラとインカメラを搭載する電子機器では、シャッターボタンを押すとアウトカメラとインカメラのシャッターを同時にレリーズさせて撮影を行う同時撮影機能を有している。
【０００３】
このような同時撮影機能に関連して、特許文献１には、同時撮影モードにおいてインカメラで撮影した画像データとアウトカメラで撮影した画像とを関連付けて記録したり、インカメラの画像データをアウトカメラの画像データと合成する技術が記載されている。
【先行技術文献】
【特許文献】
【０００４】
【特許文献１】特開２００５−０９４７４１号公報
【発明の概要】
【発明が解決しようとする課題】
【０００５】
しかしながら、上記特許文献１では、同時撮影モードにおいてインカメラで撮影した画像データの記録しなくない場合や、インカメラの画像データをアウトカメラの画像データと合成したくない場合が想定される。前者のケースとしては、例えば、セルフタイマーを使って撮影するときに、撮影者はシャッターボタンを押した後、シャッターがレリーズされる前にアウトカメラ側に移動するため、インカメラで撮影した画像データが保存を要する可能性は低いと考えられる。また、撮影者がファインダーを覗いて撮影するときにも、インカメラ側の被写体を撮影した画像データは保存しておくほどの価値はなく、記録しても無駄な場合が多いと考えられる。
【０００６】
本発明は、上記課題に鑑みてなされ、その目的は、撮影時の条件設定等に応じて、インカメラで撮影した画像データを記録するか否かを自動的に判定できる技術を実現することである。
【課題を解決するための手段】
【０００７】
上記課題を解決し、目的を達成するために、本発明の撮像装置は、撮影者から見える被写体を撮影する第１の撮像手段と、撮影者側の被写体を撮影する第２の撮像手段と、前記第１の撮像手段で撮影を行うとともに前記第２の撮像手段で撮影を行う撮影モードにおいて、撮影時の設定が所定の条件を満たす場合には、前記第１の撮像手段で撮像された画像データと前記第２の撮像手段で撮像された画像データとを関連付けて記録する第１の記録処理を行い、前記所定の条件を満たさない場合には、前記第１の撮像手段で撮像された画像データと前記第２の撮像手段で撮像された画像データとを関連付けずに記録する第２の記録処理を行う制御手段と、を有する。
【発明の効果】
【０００８】
本発明によれば、撮影時の条件設定等に応じて、インカメラで撮影した画像データを記録するか否かを自動的に判定でき、不要な画像データを記録しないで済むため、記憶容量を節約し、記録処理にかかる時間を短縮できるという効果がある。
【図面の簡単な説明】
【０００９】
【図１】本発明に係る実施形態の撮像装置の外観図。
【図２】本実施形態の撮像装置の構成を示すブロック図。
【図３】本実施形態の撮像装置の基本動作を示すフローチャート。
【図４】本実施形態の撮像装置の撮影モードでの動作を示すフローチャート。
【図５Ａ】図４のＳ４０４におけるフラグセット処理１を示すフローチャート。
【図５Ｂ】図４のＳ４０４におけるフラグセット処理２を示すフローチャート。
【図５Ｃ】図４のＳ４０４におけるフラグセット処理３を示すフローチャート。
【図５Ｄ】図４のＳ４０４におけるフラグセット処理４を示すフローチャート。
【図６】図４のＳ４０４におけるフラグセット処理５を示すフローチャート。
【図７】実施形態２の撮影モードでの動作を示すフローチャート。
【発明を実施するための形態】
【００１０】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成しても良い。
【００１１】
以下、本発明を、例えば、静止画や動画を撮影するデジタルカメラなどの撮像装置に適用した実施形態について説明する。
【００１２】
＜装置構成＞図１を参照して、本発明に係る実施形態の撮像装置の構成及び機能の概略について説明する。
【００１３】
図１において、表示部１０１は画像や各種情報を表示する液晶表示パネル（ＬＣＤ）等からなる。シャッターボタン１０２は撮影指示を行うための操作部である。モード切替スイッチ１０３は各種モードを切り替えるための操作部である。コネクタ１０７は接続ケーブル１０８とデジタルカメラ１００とを接続するインターフェースである。操作部１０４はユーザからの各種操作を受け付ける各種スイッチ、ボタン、タッチパネル等の操作部材からなる操作部である。コントローラホイール１０６は操作部１０４に含まれる回転操作可能な操作部材である。１０５は電源スイッチであり、電源オン、電源オフを切り替える。記録媒体１０９はメモリカードやハードディスク等の記録媒体である。記録媒体スロット１１０は記録媒体１０９を格納するためのスロットである。記録媒体スロット１１０に格納された記録媒体１０９は、デジタルカメラ１００との通信が可能となる。蓋１１１は記録媒体スロット１１０の蓋である。インカメラ１１２は、撮影者自身や撮影者側の被写体を撮影するカメラモジュールである。ファインダー１１３は撮影者がファイダーを覗いて被写体を撮影するために設けられ、撮影者がファインダー１１３に接眼しているか否かを検知する接眼検知部を含んでいる。
【００１４】
図２は、本実施形態のデジタルカメラ１００の構成を例示するブロック図である。
【００１５】
図２において、本実施形態のデジタルカメラ１００は、撮影者から見える被写体を撮影するアウトカメラモジュール（以下、アウトカメラ）と、撮影者自身や撮影者側の被写体を撮影するインカメラモジュール（以下、インカメラ）が搭載されている。アウトカメラは、撮影レンズ２０３、シャッター２０４、撮像部２０５からなる第１の撮像光学系、インカメラは撮影レンズ２３３、シャッター２３４、撮像部２３５からなる第２の撮像光学系をそれぞれ備える。
【００１６】
撮影レンズ２０３、２３３はズームレンズ、フォーカスレンズを含むレンズ群である。シャッター２０４、２３４は絞り機能を備える。撮像部２０５、２３５は被写体の光学像を電気信号に変換するＣＣＤやＣＭＯＳ等で構成される撮像素子である。
【００１７】
Ａ／Ｄ変換器２０６は、撮像部２０５、２３５から出力されるアナログ信号をデジタル信号に変換する。バリア２０２は、デジタルカメラ１００の、アウトカメラ側の撮影レンズ２０３を含む撮像光学系を覆うことにより、撮影レンズ２０３、シャッター２０４、撮像部２０５を含む撮像光学系の汚れや破損を防止する。
【００１８】
画像処理部２０７は、Ａ／Ｄ変換器２０６からのデータ、又は、メモリ制御部２０９からのデータに対し所定の画素補間、縮小といったリサイズ処理や色変換処理を行う。また、画像処理部２０７では、撮像した画像データを用いて所定の演算処理が行われ、得られた演算結果に基づいてシステム制御部２０１が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２０７では更に、撮像した画像データを用いて所定の演算処理を行い、得られた演算結果に基づいてＴＴＬ方式のＡＷＢ（オートホワイトバランス）処理も行っている。
なお、Ａ／Ｄ変換器２０６や画像処理部２０７を撮像部２０５、２３５ごとに設けることも可能である。
【００１９】
Ａ／Ｄ変換器２０６からの出力データは、画像処理部２０７及びメモリ制御部２０９を介して、或いは、メモリ制御部２０９を介してメモリ２１０に直接書き込まれる。メモリ２１０は、撮像部２０５によって得られ、Ａ／Ｄ変換器２０６によりデジタルデータに変換された画像データや、表示部１０１に表示するための画像データを格納する。メモリ２１０は、所定枚数の静止画や所定時間の動画および音声を格納するのに十分な記憶容量を備えている。
【００２０】
また、メモリ２１０は画像表示用のメモリ（ビデオメモリ）を兼ねている。Ｄ／Ａ変換器２０８は、メモリ２１０に格納されている画像表示用のデータをアナログ信号に変換して表示部１０１に供給する。こうして、メモリ２１０に書き込まれた表示用の画像データはＤ／Ａ変換器２０８を介して表示部１０１により表示される。表示部１０１は、ＬＣＤ等の表示器上に、Ｄ／Ａ変換器２０８からのアナログ信号に応じた表示を行う。Ａ／Ｄ変換器２０６によって一旦Ａ／Ｄ変換され、メモリ２１０に蓄積されたデジタル信号をＤ／Ａ変換器２０８においてアナログ変換し、表示部１０１に逐次転送して表示することで、電子ビューファインダー（ＥＶＦ）として機能し、スルー画像表示を行える。
【００２１】
不揮発性メモリ２１３は、電気的に消去・記録可能なメモリであり、例えばＥＥＰＲＯＭ等が用いられる。不揮発性メモリ２１３には、システム制御部２０１の動作用の定数、プログラム等が記憶される。ここでいう、プログラムとは、本実施形態にて後述する各種フローチャートを実行するためのプログラムのことである。
【００２２】
システム制御部２０１は、デジタルカメラ１００全体を制御する。前述した不揮発性メモリ２１３に記録されたプログラムを実行することで、後述する本実施形態の各処理を実現する。２１２はシステムメモリであり、ＲＡＭが用いられる。システムメモリ２１２には、システム制御部２０１の動作用の定数、変数、不揮発性メモリ２１３から読み込んだプログラム等を展開する。また、システム制御部２０１はメモリ２１０、Ｄ／Ａ変換器２０８、表示部１０１等を制御することにより表示制御も行う。
【００２３】
システムタイマー２１１は各種制御に用いる時間や、内蔵された時計の時間を計測する計時部である。
【００２４】
モード切替スイッチ１０３、第１シャッタースイッチ１０２ａ、第２シャッタースイッチ１０２ｂ、操作部１０４はシステム制御部２０１に各種の動作指示を入力するための操作手段である。
【００２５】
モード切替スイッチ１０３は、システム制御部２０１の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード、アウトカメラとインカメラの両方で同時撮影が可能な同時撮影モード等がある。モード切替スイッチ１０３で、静止画撮影モードに含まれるこれらのモードのいずれかに直接切り替えられる。あるいは、モード切替スイッチ１０３で静止画撮影モードに一旦切り替えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ１０２ａは、デジタルカメラ１００に設けられたシャッターボタン１０２の操作途中、いわゆる半押し（撮影準備指示）でＯＮとなり第１シャッタースイッチ信号ＳＷ１を発生する。第１シャッタースイッチ信号ＳＷ１により、アウトカメラやインカメラのＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ１０２ｂは、シャッターボタン１０２の操作完了、いわゆる全押し（撮影指示）でＯＮとなり、第２シャッタースイッチ信号ＳＷ２を発生する。システム制御部２０１は、第２シャッタースイッチ信号ＳＷ２により、撮像部２０５や撮像部２３５からの信号読み出しから記録媒体１０９に画像データを書き込むまでの一連の撮影処理の動作を開始する。
【００２７】
操作部１０４の各操作部材は、表示部１０１に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部１０１に表示される。ユーザは、表示部１０１に表示されたメニュー画面と、上下左右の４方向ボタンやＳＥＴボタンとを用いて直感的に各種設定を行うことができる。
【００２８】
コントローラホイール１０６は、操作部１０４に含まれる回転操作可能な操作部材であり、方向ボタンと共に選択項目を指示する際などに使用される。コントローラホイール１０６を回転操作すると、操作量に応じて電気的なパルス信号が発生し、このパルス信号に基づいてシステム制御部２０１はデジタルカメラ１００の各部を制御する。このパルス信号によって、コントローラホイール１０６が回転操作された角度や、何回転したかなどを判定することができる。なお、コントローラホイール１０６は回転操作が検出できる操作部材であればどのようなものでもよい。例えば、ユーザの回転操作に応じてコントローラホイール１０６自体が回転してパルス信号を発生するダイヤル操作部材であってもよい。また、タッチセンサよりなる操作部材で、コントローラホイール１０６自体は回転せず、コントローラホイール１０６上でのユーザの指の回転動作などを検出するものであってもよい（いわゆる、タッチホイール）。
【００２９】
電源制御部２１４は、電池検出回路、ＤＣ−ＤＣコンバータ、通電するブロックを切り替えるスイッチ回路等により構成され、電池の装着の有無、電池の種類、電池残量の検出を行う。また、電源制御部２１４は、その検出結果及びシステム制御部２０１の指示に基づいてＤＣ−ＤＣコンバータを制御し、必要な電圧を必要な期間、記録媒体１０９を含む各部へ供給する。
【００３０】
電源部２１５は、アルカリ電池やリチウム電池等の一次電池やＮｉＣｄ電池やＮｉＭＨ電池、Ｌｉ電池等の二次電池、ＡＣアダプタ等からなる。記録媒体Ｉ／Ｆ２１６は、メモリカードやハードディスク等の記録媒体１０９とのインターフェースである。記録媒体１０９は、撮影された画像を記録するためのメモリカード等の記録媒体であり、半導体メモリや磁気ディスク等から構成される。
【００３１】
なお操作部１０４の一つとして、表示部１０１に対する接触を検知可能なタッチパネルを有する。タッチパネルと表示部１０１とは一体的に構成することができる。例えば、タッチパネルを光の透過率が表示部１０１の表示を妨げないように構成し、表示部１０１の表示面の上層に取り付ける。そして、タッチパネルにおける入力座標と、表示部１０１上の表示座標とを対応付ける。これにより、あたかもユーザが表示部１０１上に表示された画面を直接的に操作可能であるかのようなＧＵＩを構成することができる。システム制御部２０１はタッチパネルへの以下の操作を検出できる。タッチパネルを指やペンで触れたこと（以下、タッチダウンと称する）。タッチパネルを指やペンで触れている状態であること（以下、タッチオンと称する）。タッチパネルを指やペンで触れたまま移動していること（以下、ムーブと称する）。タッチパネルへ触れていた指やペンを離したこと（以下、タッチアップと称する）。タッチパネルに何も触れていない状態（以下、タッチオフと称する）。これらの操作や、タッチパネル上に指やペンが触れている位置座標は内部バスを通じてシステム制御部２０１に通知され、システム制御部２０１は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが検出され、そのままタッチアップが検出されるとフリックが行なわれたと判定できる。また、所定距離以上を、所定速度未満でムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００３２】
＜基本動作＞図３を参照して、本実施形態のデジタルカメラ１００の起動から終了までの基本動作について説明する。なお、図３の処理は、不揮発性メモリ２１３に記録されたプログラムを、システムメモリ２１２に読み出してシステム制御部２０１が実行することにより実現する。
【００３３】
デジタルカメラ１００の電源スイッチ１０５がオンされると、図３の処理が開始される。
【００３４】
Ｓ３０１では、システム制御部２０１は、モード切替スイッチ１０３の位置が撮影モードであるか否かを判定し、撮影モードであると判定された場合はＳ３０２に進んで撮影モード処理を行い、撮影モードではないと判定された場合はＳ３０４に進む。撮影モード処理については実施形態１、２で後述する。
【００３５】
Ｓ３０４では、システム制御部２０１は、モード切替スイッチ１０３の位置が再生モードであるか否かを判定し、再生モードの場合はＳ３０５に進んで再生モード処理を行い、再生モードではないと判定された場合はＳ３０６に進んでその他の処理を行う。再生モード処理は、画像の閲覧や拡大表示、消去処理などが含まれる。その他の処理は、現在時刻を表示するだけの時計表示モードでの処理等である。
【００３６】
それぞれのモード処理が終了するとＳ３０３へ進み、システム制御部２０１はカメラをシャットダウンするか否かを判定し、シャットダウンすると判定された場合は動作を終了し、シャットダウンしない場合はＳ３０１へ戻る。
【００３７】
＜撮影モード処理＞図４を参照して、図３のＳ３０２における撮影モード処理について説明する。
【００３８】
図４において、Ｓ４０１では、システム制御部２０１は、表示部１０１にスルー画を表示する。
【００３９】
Ｓ４０２では、システム制御部２０１は、被写体シーンの判定を行う。判定の結果、例えばスルー画に人の顔が含まれていた場合は主被写体の顔が適正露出になるよう自動的に露出を変えたり、夜景シーンと判定した場合は、ＩＳＯ感度の設定を高くするなどの制御を行う。さらに、三脚を使用して撮影しているか否かの判定や、被写体にモノの動きがあるか否かの判定などを行うことが可能である。
【００４０】
Ｓ４０３では、システム制御部２０１は、セルフタイマーの設定処理を行う。ここでは、例えば、ユーザが設定画面上において、シャッターボタン１０２を全押してからシャッタレリーズまでの所定時間を設定できる。デフォルトは０秒であり、セルフタイマーを使用したい場合や撮影する枚数などの変更も可能である。
【００４１】
Ｓ４０４では、システム制御部２０１は、後述する所定の条件を満たす場合にフラグを立てる処理（フラグセット処理）を行う。
【００４２】
Ｓ４０５では、システム制御部２０１は、シャッターボタン１０２が全押しされたか否かを判定し、シャッターボタンが押されたと判定された場合はＳ４０６へ進み、押されてないと判定された場合はＳ４０９へ進む。
【００４３】
Ｓ４０６では、システム制御部２０１は、フラグがオンか否かを判定し、フラグがオンの場合はＳ４０７へ進み、フラグがオフの場合はＳ４０８へ進む。
【００４４】
Ｓ４０７では、システム制御部２０１は、フラグがオンであるので、第１の記録処理を行う。第１の記録処理は、アウトカメラで撮影された画像データ（以下、アウトカメラ画像ともいう）とインカメラで撮影された画像データ（以下、インカメラ画像ともいう）をメモリ２１０に保持し、さらに両者を関連付けるメタデータをそれぞれの画像データに埋め込んで記録媒体１０９に記録する。
【００４５】
Ｓ４０８では、システム制御部２０１は、フラグがオフであるので、第２の記録処理を行う。第２の記録処理は、アウトカメラ画像データとインカメラ画像データをメモリ２１０に保持する一方、両者を関連付けるメタデータは埋め込まずにそれぞれを記録媒体１０９に記録する。ここで関連付けされたメタデータは、例えば、再生モードで画像データを表示する際に、アウトカメラ画像データとインカメラ画像データを表示部１０１に同時に表示する場合などに参照される。
【００４６】
Ｓ４０９では、システム制御部２０１は、撮影モードを終了するか否か判定し、終了する場合は撮影モードを終了し、終了しない場合はＳ４０１に戻る。
【００４７】
上述の第１の記録処理や第２の記録処理のように、所定の条件を満たす場合はアウトカメラ画像データとインカメラ画像データの関連付けを行い、所定の条件を満たさない場合は関連付けを行わないことで、無駄なメタデータを埋め込まず、またメタデータを埋め込むための処理時間の短縮につながる。また画像再生時には意図しないインカメラ画像データがアウトカメラ画像データに関連付けされて表示されることを防ぐことが可能となる。
【００４８】
＜フラグセット処理１＞図５Ａを参照して、図４のＳ４０４におけるフラグセット処理１について説明する。
【００４９】
図５Ａにおいて、Ｓ５１１では、システム制御部２０１は、現在の撮影モードが同時撮影モードであるか否かを判定し、同時撮影モードである場合はＳ５１２へ進み、そうでない場合はフラグをオフにして処理を終了する。
【００５０】
Ｓ５１２では、システム制御部２０１は、Ｓ４０２でのシーン判定の結果、夜景シーン以外であったか否かを判定し、夜景シーン以外の場合はフラグをオンにして処理を終了し、夜景シーンであった場合はＳ５１３に進む。
【００５１】
Ｓ５１３では、システム制御部２０１は、夜景シーンであり、かつ三脚を使用した撮影であるか否かを判定し、夜景シーンかつ三脚を使用した撮影ではない場合はフラグをオンにセットし、そうでない場合はフラグをオフにして処理を終了する。
【００５２】
以上のように、夜景シーン以外の場合は、インカメラ側に被写体が存在しても失敗画像になりにくいため、フラグをオンにしてＳ４０７の第１の記録処理を行うことが望ましい。また、夜景シーンかつ三脚使用の場合などでは、インカメラ側に被写体がいない可能性もあるため、Ｓ４０８の第２の記録処理を行うことが望ましい。このように無駄な画像の関連付けを行わないことで、メモリの節約などに寄与するといった効果がある。
【００５３】
＜フラグセット処理２＞図５Ｂを参照して、図４のＳ４０４におけるフラグセット処理２について説明する。
【００５４】
図５Ｂにおいて、Ｓ５２１では、システム制御部２０１は、現在の撮影モードが同時撮影モードであるか否かを判定し、同時撮影モードである場合はＳ５２２へ進み、そうでない場合はフラグをオフにして処理を終了する。
【００５５】
Ｓ５２２では、システム制御部２０１は、図４のＳ４０３でセルフタイマーの設定の有無を判定し、設定されていない場合はフラグをオンにして処理を終了し、設定されている場合はＳ５２３へ進む。
【００５６】
Ｓ５２３では、システム制御部２０１は、セルフタイマーの設定時間が所定時間（例えば、２秒）以下であるか否かを判定し、所定時間以下ではない場合はフラグをオフにして処理を終了し、所定時間を超える場合はフラグをオンにして処理を終了する。
【００５７】
以上のように、セルフタイマーを設定していない場合は、インカメラ側に被写体がいる可能性が高いためフラグをオンにしてＳ４０７の第１の記録処理を行うことが望ましい。また、セルフタイマーが設定されていても２秒など短時間の場合は、手ブレ防止撮影を目的として設定されている場合もある。よって、この場合はフラグをオンにしてＳ４０７の第１の記録処理を行うことが望ましい。一方、セルフタイマーの設定時間が長時間（例えば、１０秒）の場合は、シャッターボタンを押した後、撮影者がアウトカメラ側の被写体に移動している可能性がある。この場合は、インカメラ側には意図しない画像が残っている可能性があり、このような画像を関連付けして記録しておくことはメモリや処理時間の無駄につながる。このため、Ｓ４０８で第２の記録処理を行うことが望ましい。このようにすることでメモリや処理時間の節約に寄与するといった効果がある。
【００５８】
＜フラグセット処理３＞図５Ｃを参照して、図４のＳ４０４におけるフラグセット処理３について説明する。
【００５９】
図５Ｃにおいて、Ｓ５３１では、システム制御部２０１は、現在の撮影モードが同時撮影モードであるか否かを判定し、同時撮影モードである場合はＳ５２２へ進み、そうでない場合はフラグをオフにして処理を終了する。
【００６０】
Ｓ５３２では、システム制御部２０１は、ファインダー撮影の有無を判定し、ファインダー撮影モードではないと判定された場合はフラグをオンにして処理を終了し、ファインダー撮影モードであると判定された場合はＳ５３３へ進む。
【００６１】
Ｓ５３３では、システム制御部２０１は、接眼検知部によりファインダー１１３に接眼しているか否かを判定し、接眼していないと判定された場合はフラグをオンにして処理を終了し、接眼していると判定された場合はフラグをオフにして処理を終了する。なお、操作部１０４のあるボタンを押すとファインダー撮影モードと電子ビューファインダー撮影モードとを切り替えられる構成としてもよい。このように、ファインダー撮影モードの場合には、ファイダーを覗いて撮影を行う可能性が高いため、インカメラで撮影した画像は失敗画像になる可能性が高い。反対に、ファインダー撮影モードではない場合は、インカメラで撮影した画像に撮影者の顔が写り込む可能性が高いため、フラグをオンにしてＳ４０７の第１の記録処理を行うことが望ましい。またファインダー撮影モードでも接眼検知していない場合は、インカメラで撮影すると撮影者の顔が写り込む可能性が高いため、フラグをオンにしてＳ４０７の第１の記録処理を行うことが望ましい。なお、Ｓ５３２の処理を省き、Ｓ５３１からＳ５３３に直接遷移し、接眼検知しているか否かに応じてフラグをセットするか否かを判定してもよい。接眼検知している場合はインカメラで撮影しても失敗画像になる可能性が高いため、Ｓ５３３の判定だけでも、無駄なメモリや処理時間などの節約に寄与するといった効果がある。
【００６２】
＜フラグセット処理４＞図５Ｄを参照して、図４のＳ４０４におけるフラグセット処理４について説明する。
【００６３】
図５Ｄにおいて、Ｓ５４１では、システム制御部２０１は、現在の撮影モードが同時撮影モードであるか否かを判定し、同時撮影モードである場合はＳ５４２へ進み、そうでない場合はフラグをオフにして処理を終了する。
【００６４】
Ｓ５４２では、システム制御部２０１は、リモコン撮影（外部からの遠隔操作による撮影）の有無を判定し、リモコン撮影モードでない場合はフラグをオンにして処理を終了し、リモコン撮影モードの場合はフラグをオフにして処理を終了する。
【００６５】
このように、リモコン撮影モードではインカメラ側に撮影者がいない可能性があるので、Ｓ４０８で第２の記録処理を行うことが望ましい。このようにすることで無駄なメモリや処理時間の節約に寄与するといった効果がある。
【００６６】
＜フラグセット処理５＞図６を参照して、図４のＳ４０４におけるフラグセット処理５について説明する。
【００６７】
ここでは、図５Ａ〜５ＤのＳ５１１〜Ｓ５４１の処理に加えて、Ｓ５１２、Ｓ５１３、Ｓ５２２、Ｓ５２３、Ｓ５３２、Ｓ５３３、Ｓ５４２のいずれかまたは複数の処理を組み合わせた処理について説明する。
【００６８】
図６において、Ｓ６０１では、システム制御部２０１は、現在の撮影モードが同時撮影モードであるか否かを判定し、同時撮影モードである場合はＳ６０２へ進み、そうでない場合はフラグをオフにして処理を終了する。
【００６９】
Ｓ６０２では、システム制御部２０１は、セルフタイマーの設定の有無を判定し、設定されている場合はフラグをオフにセットし、設定されていない場合はＳ６０３に進む。
【００７０】
Ｓ６０３では、システム制御部２０１は、ファインダー撮影の有無を判定し、ファインダー撮影モードの場合はフラグをオフにして処理を終了し、ファインダー撮影モードでない場合はＳ６０４へ進む。
【００７１】
Ｓ６０４では、システム制御部２０１は、三脚を使用した撮影であるか否かを判定し、三脚を使用した撮影の場合はフラグをオフにセットし、そうでない場合はＳ６０５へ進む。
【００７２】
Ｓ６０５では、システム制御部２０１は、リモコン撮影の有無を判定し、リモコン撮影モードの場合はフラグをオフにして処理を終了し、リモコン撮影モードでない場合はフラグをオンにして処理を終了する。
【００７３】
このように上記フラグセット処理１〜４を適宜組み合わせても、無駄なメモリや処理時間などの節約に寄与するといった効果がある。
【００７４】
［実施形態２］次に、図７を参照して、実施形態２の撮影モード処理について説明する。なお、図７のＳ７０１〜Ｓ７０６、Ｓ７０９は、図４のＳ４０１〜Ｓ４０６、Ｓ４０９と同様の処理であるので説明を省略する。
【００７５】
Ｓ７０７では、システム制御部２０１は、フラグがオンであるので、第１の記録処理を行う。第１の記録処理は、アウトカメラ画像データとインカメラ画像データをメモリ２１０に保持し、さらに両者を関連付けるメタデータをそれぞれの画像データに埋め込んで記録媒体１０９に記録する。
【００７６】
一方、Ｓ７０８では、システム制御部２０１は、フラグがオフであるので、第２の記録処理を行う。第２の記録処理は、アウトカメラ画像データをメモリ２１０に保持する一方、インカメラでの撮影は行わない。つまり、インカメラの撮像光学系は動作しない。
【００７７】
上述の第１の記録処理は第２の記録処理のように、所定の条件を満たす場合はアウトカメラ画像データとインカメラ画像データの関連付けを行い、所定の条件を満たさない場合はアウトカメラだけを動作させて撮影を行うことで、無駄な画像データが記録されることを防ぐことが可能となる。
【００７８】
上述した各実施形態によれば、撮影時の条件設定等に応じて、インカメラで撮影した画像データを記録するか否かを自動的に判定でき、不要な画像データを記録しないで済むため、メモリを節約し、記録処理にかかる時間を短縮できるという効果がある。
【００７９】
［その他の実施形態］本発明は、以下の処理を実行することによっても実現される。即ち上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014093744.tif 000003
【図２】
2014093744.tif 000004
【図３】
2014093744.tif 000005
【図４】
2014093744.tif 000006
【図５Ａ】
2014093744.tif 000007
【図５Ｂ】
2014093744.tif 000008
【図５Ｃ】
2014093744.tif 000009
【図５Ｄ】
2014093744.tif 000010
【図６】
2014093744.tif 000011
【図７】
2014093744.tif 000012